(57)【要約】【課題】買物客が買い上げる商品に関する表示内容を他の客が覗き見ることを簡単に防ぐ。【解決手段】客用表示装置は、表示部と、表示手段と、非表示手段とを含む。表示部は、買物客に対して情報を提供する。表示手段は、買物客が買い上げる商品の販売データを処理する機器でデータ処理された商品の少なくとも商品名及び販売価格を当該買物客が買い上げる全商品の合計金額とともに表示部に表示させる。非表示手段は、表示部に表示される少なくとも商品名，販売価格，合計金額の各情報を、買物客の操作入力に応じて選択的に非表示とする。【選択図】      図５
2014071516.tif 000002
【特許請求の範囲】
【請求項１】
買物客に対して情報を提供する表示部と、
前記買物客が買い上げる商品の販売データを処理する機器でデータ処理された商品の少なくとも商品名及び販売価格を当該買物客が買い上げる全商品の合計金額とともに前記表示部に表示させる表示手段と、
前記表示部に表示される少なくとも商品名，販売価格，合計金額の各情報を、前記買物客の操作入力に応じて選択的に非表示とする非表示手段と、
を具備したことを特徴とする客用表示装置。
【請求項２】
前記表示部は、タッチ入力機能を具備し、
前記非表示手段は、前記表示部に表示される各情報のうちタッチ入力位置に表示されている情報を非表示とすることを特徴とする請求項１記載の客用表示装置。
【請求項３】
前記非表示手段は、タッチ入力位置が全消去を指定する位置であるとき、前記表示部に表示される各情報を一括して非表示とする手段を含むことを特徴とする請求項２記載の客用表示装置。
【請求項４】
前記機器で買物客が買い上げる商品の１点目のデータが入力されてから当該買物客が買い上げる商品の代金支払いデータが入力されるまでの間、前記非表示手段による情報の非表示を可能にする許容手段、
をさらに具備したことを特徴とする請求項１乃至３のうちいずれか１に記載の客用表示装置。
【請求項５】
前記機器で買物客が買い上げる商品のデータ入力終了が宣言されたとき、前記非表示手段により合計金額が非表示とされている場合には当該合計金額を前記表示部に表示させる強制手段、
をさらに具備したことを特徴とする請求項１乃至４のうちいずれか１に記載の客用表示装置。
【請求項６】
買物客に対して情報を提供する表示部を備えたコンピュータに、
前記買物客が買い上げる商品の販売データを処理する機器でデータ処理された商品の少なくとも商品名及び販売価格を当該買物客が買い上げる全商品の合計金額とともに前記表示部に表示させる機能と、
前記表示部に表示される少なくとも商品名，販売価格，合計金額の各情報を、前記買物客の操作入力に応じて選択的に非表示とする機能と、
を実現させるための制御プログラム。
【発明の詳細な説明】
【技術分野】
【０００１】
本発明の実施形態は、ＰＯＳ（Point Of Sales）端末、電子式キャッシュレジスタ、電子料金秤等の機器で使用される客用表示装置及びその制御プログラムに関する。
【背景技術】
【０００２】
商品販売データを処理するＰＯＳ端末や電子式キャッシュレジスタ等の機器、いわゆる商品販売データ処理装置は、買物客への情報提供手段として客用表示装置を有する。客用表示装置は、商品販売データ処理装置で販売データが処理された商品の商品名，販売価格等を客に確認させるために、画面を買物客側に向けた状態で機器に搭載される。
【０００３】
買物客側には、商品販売データ処理装置でデータ処理中の商品を買い上げる客だけでなく、他の客も近くに居ることが多い。このため、客用表示装置に表示される内容を他の客が覗き見ることは可能であり、買物客のプライバシーが守られていないのが実情である。
【先行技術文献】
【特許文献】
【０００４】
【特許文献１】特開２０１０−２１８１６０号公報
【発明の概要】
【発明が解決しようとする課題】
【０００５】
本発明が解決しようとする課題は、買物客が買い上げる商品に関する表示内容を他の客が覗き見ることを簡単に防ぐことができ、買物客のプライバシーを容易に守ることができる客用表示装置を提供しようとするものである。
【課題を解決するための手段】
【０００６】
一実施形態において、客用表示装置は、表示部と、表示手段と、非表示手段とを含む。表示部は、買物客に対して情報を提供する。表示手段は、買物客が買い上げる商品の販売データを処理する機器でデータ処理された商品の少なくとも商品名及び販売価格を当該買物客が買い上げる全商品の合計金額とともに表示部に表示させる。非表示手段は、表示部に表示される少なくとも商品名，販売価格，合計金額の各情報を、買物客の操作入力に応じて選択的に非表示とする。
【図面の簡単な説明】
【０００７】
【図１】一実施形態に係るＰＯＳ端末の外観図。
【図２】同ＰＯＳ端末の制御回路構成を示すブロック図。
【図３】表示装置コントローラが有する機能を示す模式図。
【図４】客用ディスプレイに表示される画面の一例を示す図。
【図５】図４の画面例から商品名欄の情報を非表示とした後の画面例を示す図。
【図６】図４の画面例から「全消去」のボタン画像をタッチ入力した後の画面例を示す図。
【図７】ＰＯＳ端末のＲＡＭに形成される主要なメモリエリアを示す模式図。
【図８】ＰＯＳ端末のＣＰＵが実行する一客処理の手順を示す流れ図。
【図９】表示装置コントローラが実行する客面表示処理の手順を示す流れ図。
【図１０】表示装置コントローラが実行する客面表示切替処理の手順を示す流れ図。
【図１１】表示装置コントローラが実行する合計表示強制処理の手順を示す流れ図。
【発明を実施するための形態】
【０００８】
以下、客用表示装置の実施形態について、図面を用いて説明する。本実施形態は、ＰＯＳ端末に搭載された客用表示装置を例示する。
【０００９】
図１は、本実施形態に係るＰＯＳ端末１の外観斜視図である。ＰＯＳ端末１は、正面側にキーボード２とオペレータ用ディスプレイ３とを設け、背面側に表示部としての客用ディスプレイ４を設ける。キーボード２は、［０］〜［９］の数値を入力するための置数キーの他、小計キー、預／現計キー、クリアキー等の種々のファンクションキーを配設する。オペレータ用ディスプレイ３は、ＰＯＳ端末１のオペレータであるキャッシャに対して情報を提供する表示部として機能し、客用ディスプレイ４は、買物客に対して情報を提供する表示部として機能する。各ディスプレイ３，４は、キャッシャまたは買物客に対し、買物客が買い上げる商品の商品名、価格及び買上点数や、その買物客が買い上げる全商品の合計金額等の情報を提供する。
【００１０】
ＰＯＳ端末１は、通信ケーブル５を介してスキャナ６を接続する。スキャナ６は、バーコードを光学的に読み取るもので、各商品には、当該商品を個々に特定するための商品識別コードをバーコード化したバーコードが付されている。
【００１１】
ＰＯＳ端末１は、レシートを印字するためのプリンタ７を内蔵し、このプリンタ７で印字されたレシートを、レシート発行口８から発行する。かかる構成のＰＯＳ端末１は、現金などを収容するためのドロワ９の上に載置される。
【００１２】
図２は、ＰＯＳ端末１の制御回路構成を示すブロック図である。ＰＯＳ端末１は、制御部本体としてＣＰＵ（Central Processing Unit）１１を搭載する。そしてこのＣＰＵ１１に、アドレスバス，データバス等のバスライン１２を介してＲＯＭ（Read Only Memory）１３及びＲＡＭ（Random Access Memory）１４の主記憶部と、ＨＤＤ（Hard Disk Drive）装置またはＳＳＤ（Solid State Drive）装置等の補助記憶部１５と、通信インターフェース１６とを接続する。通信インターフェース１６には、ＬＡＮ（Local Area Network）等のネットワークを通じてＰＯＳサーバ（不図示）が接続される。
【００１３】
また、上記バスライン１２には、スキャナインターフェース１７、Ｉ／Ｏ（Input/Output）ポート１８、キーボードコントローラ１９、ディスプレイコントローラ２０、プリンタコントローラ２１及び表示装置コントローラ２２が接続される。スキャナインターフェース１７は、前記スキャナ６との間のデータ通信を司る。Ｉ／Ｏポート１８は、前記ドロワ９に対して駆動信号を出力する。この駆動信号を受信したドロワ９は、自動的に開放する。
【００１４】
キーボードコントローラ１９は、前記キーボード２を制御し、操作されたキーに対応するキー信号を取り込む。ディスプレイコントローラ２０は、前記オペレータ用ディスプレイ３の画面表示を制御する。プリンタコントローラ２１は、前記プリンタ７によるレシート印字動作を制御する。
【００１５】
表示装置コントローラ２２は、前記客用ディスプレイ４を制御する。前記客用ディスプレイ４は、液晶パネルなどの表示パネル４ａの画面上にタッチパネル４ｂを重ねて配置しており、タッチ入力機能を有する。表示装置コントローラ２２は、表示パネル４ａの画面表示を制御する。また、表示装置コントローラ２２は、タッチパネル４ｂからの入力信号によりタッチ操作された画面上の位置座標を取得する。
【００１６】
さらに、表示装置コントローラ２２は、図３に示すように、表示手段３１、非表示手段３２、許容手段３３及び強制手段３４としての機能を有する。これらの機能は、ＰＯＳ端末１のプログラム記憶部であるＲＯＭ１３に格納された制御プログラムに従い、表示装置コントローラ２２がＣＰＵ１１と協働して実現する。
【００１７】
表示手段３１は、買物客が買い上げる商品の少なくとも商品名及び販売価格をその買物客が買い上げる全商品の合計金額とともに客用ディスプレイ４に表示させる。非表示手段３２は、客用ディスプレイ４に表示される少なくとも商品名，販売価格，合計金額の各データを、買物客の操作入力に応じて選択的にまたは一括して非表示とする。許容手段３３は、ＰＯＳ端末１にて買物客が買い上げる商品の１点目のデータが入力されてから当該買物客が買い上げる商品の代金支払いデータが入力されるまでの間、前記非表示手段３２による情報の非表示を可能にする。強制手段３４は、ＰＯＳ端末１にて買物客が買い上げる商品のデータ入力終了が宣言されたとき、例えば、キーボード２の小計キーが入力されたとき、前記非表示手段３２により合計金額が非表示とされている場合には当該合計金額を客用ディスプレイ４に表示させる。ここに、客用ディスプレイ４と表示装置コントローラ２２とは、客用表示装置３０を構成する。
【００１８】
前記表示手段３１により客用ディスプレイ４に表示される画面４０の一例を図４に示す。図４に示すように、客用ディスプレイ４の画面４０は、登録情報表示領域４１とメッセージ領域４２とに区分される。また、登録情報表示領域４１は、商品名欄４１１、点数欄４１２、価格欄４１３及び合計欄４１４に区分される。
【００１９】
そして、キーボード２またはスキャナ６の入力デバイスを介して買物客が買い上げる商品の販売データが入力される毎に、その商品の商品名、販売点数及び販売価格が各欄４１１，４１２，４１３に表示される。また、合計欄４１４には、当該買物客が買い上げる全商品の合計点数及び合計金額が表示される。メッセージ領域４２には、買物客に対して操作方法を案内するメッセージ、例えば「プライバシー保護のため、表示を消したい項目にタッチしてください。全項目を消去する場合には、全消去ボタンにタッチしてください。」とともに、「全消去」のボタン画像４２１が表示される。
【００２０】
図４の画面４０において、ユーザが商品名欄４１１の内側をタッチ操作すると、客用表示装置３０では、非表示手段３２により商品名が非表示となる。このときの画面５０の一例を図５に示す。図５に示すように、客用表示装置３０では、商品名欄４１１にマスク用画像が重ねて表示されて、見かけ上、商品名が非表示となる。このとき、メッセージ領域４２には、再表示のための操作方法を案内するメッセージ、例えば「商品名を消去です。もう一度タッチすると、商品名が表示されます。」が表示される。
【００２１】
ここで、メッセージにあるように、図５の画面５０において、ユーザが商品名欄４１１の内側を再びタッチ操作すると、客用表示装置３０では、商品名欄４１１からマスク用画像が消去されて商品名が再び表示され、図４の画面４０に戻る。
【００２２】
他の点数欄４１２、価格欄４１３及び合計欄４１４がタッチ操作された場合も同様である。すなわち客用表示装置３０では、画面のタッチ操作された領域に対してマスク用画像が重ねて表示されて、見かけ上、そのタッチ操作された領域に表示されている情報、つまりは販売点数、販売価格または合計情報（合計点数と合計金額）が非表示となる。また、再度のタッチ操作によってその領域に情報が再表示される。
【００２３】
図４の画面４０において、ユーザが「全消去」のボタン画像４２１にタッチ操作すると、客用表示装置３０では、非表示手段３２により登録情報表示領域４１の商品名、販売点数、販売価格及び合計情報が一括して非表示となる。このときの画面６０を図６示す。図６に示すように、客用表示装置３０では、商品名欄４１１、点数欄４１２、価格欄４１３及び合計欄４１４の各領域にそれぞれマスク用画像が重ねて表示されて、見かけ上、商品名、販売点数、販売価格及び合計情報が一括して非表示となる。このとき、メッセージ領域４２には、再表示のための操作方法を案内するメッセージ、例えば「全項目を消去中です。表示させる場合には全表示ボタンにタッチしてください。」が表示される。また、「全消去」のボタン画像４２１が、「全表示」のボタン画像４２２に変更される。
【００２４】
ここで、メッセージにあるように、図６の画面６０において、ユーザが「全表示」のボタン画像４２２にタッチ操作すると、客用表示装置３０では、画面６０からマスク用画像が消去されて、図４の画面４０に戻る。
【００２５】
客用表示装置３０に対して上述したような表示制御を実現するために、ＰＯＳ端末１は、図７に示すエリア構造の登録メモリ５１とフラグメモリ５２とをＲＡＭ１４に形成する。登録メモリ５１は、買物客が買い上げる商品の商品名、販売点数及び販売価格と、合計点数及び合計金額の合計情報とを格納するためのメモリエリアを有する。フラグメモリ５２は、商品名消去フラグＦ１、点数消去フラグＦ２、価格消去フラグＦ３、合計消去フラグＦ４及び全消去フラグＦ５を格納するためのメモリエリアを有する。商品名消去フラグＦ１は、客用ディスプレイ４に表示される画面４０から商品名を非表示とするモードにあるとき“１”にセットされる。点数消去フラグＦ２、価格消去フラグＦ３、合計消去フラグＦ４についても同様であり、対応する項目の情報を非表示とするモードにあるとき“１”にセットされる。全消去フラグＦ５は、「全表示」のボタン画像４２２がタッチ操作されて全項目の情報を非表示とするモードにあるとき“１”にセットされる。
【００２６】
図８は、ＰＯＳ端末１のＣＰＵ１１が制御プログラムにしたがって実行する一客処理の手順を示す流れ図である。一客処理とは、一人の買物客が買い上げる商品の登録開始から、その買物客による代金支払いが終了するまでの情報処理である。
【００２７】
ＣＰＵ１１は、買物客が買い上げる商品が登録されるのを待機する（ステップＳＴ１）。スキャナ６によって商品に付されたバーコードがスキャニングされるか、キーボード２によって商品識別コードがキー入力されると、ＣＰＵ１１は、商品登録有りと認定する。
【００２８】
商品登録が行われると（ステップＳＴ１にてＹＥＳ）、ＣＰＵ１１は、登録中フラグＦ０を調べる（ステップＳＴ２）。登録中フラグＦ０は、例えばＲＡＭ１４に記憶されている。登録中フラグＦ０が“０”にリセットされていると（ステップＳＴ２にてＹＥＳ）、登録商品は、一人の買物客が買い上げる商品の１点目である。ＣＰＵ１１は、登録メモリ５１の各エリアをクリアする（ステップＳＴ３）。またＣＰＵ１１は、フラグメモリ５２の各フラグＦ１〜Ｆ５を“０”にリセットする（ステップＳＴ４）。さらにＣＰＵ１１は、前記登録中フラグＦ０を“１”にセットする。
【００２９】
しかる後、ＣＰＵ１１は、表示装置コントローラ２２に対してタッチ入力の有効化を指令する（ステップＳＴ６）。この指令を受けた表示装置コントローラ２２は、タッチパネル４ｂからの信号監視を始める（許容手段３３）。
【００３０】
タッチ入力の有効化を指令した後、あるいはステップＳＴ２にて登録中フラグＦ０が“１”にセットされていた場合（ステップＳＴ２にてＮＯ）、ＣＰＵ１１は、商品販売データの登録処理を実行する（ステップＳＴ７）。すなわちＣＰＵ１１は、ステップＳＴ１にて登録された商品の商品識別コードで補助記憶部１５に保存されている商品データファイルを検索し、当該商品識別コードに関連付けて記録されている商品名及び単価を呼出す。そしてＣＰＵ１１は、単価に販売点数（商品登録の直前に置数キーにて置数されている場合にはその数値、置数されていない場合には“１”）を乗算して販売価格を算出する。ＣＰＵ１１は、商品識別コード、商品名、単価、販売点数及び販売価格を含む商品販売データをトランザクションメモリに登録する。トランザクションメモリはＲＡＭ１４に形成されており、買物客が買い上げる商品の登録開始に先立って初期化されている。
【００３１】
商品販売データの登録処理を終えると、ＣＰＵ１１は、上記商品販売データの商品名、販売点数及び販売価格を、登録メモリ５１の該当項目エリアに上書き保存する（ステップＳＴ８）。またＣＰＵ１１は、登録メモリ５１の合計点数エリアに販売点数を、また合計金額エリアに販売価格をそれぞれ加算する（ステップＳＴ９）。そしてＣＰＵ１１は、登録メモリ５１の内容を、オペレータ用ディスプレイ３に表示させる（ステップＳＴ１０）。
【００３２】
しかる後、ＣＰＵ１１は、表示装置コントローラ２２に対して客面表示処理の実行を指令する（ステップＳＴ１１）。この指令を受けた表示装置コントローラ２２は、図９の流れ図で示す手順で処理を実行する。先ず、表示装置コントローラ２２は、フラグメモリ５２の商品名消去フラグＦ１をチェックする（ステップＳＴ３１）。ここで、商品名消去フラグＦ１が“０”にリセットされていた場合（ステップＳＴ３１にてＹＥＳ）、表示装置コントローラ２２は、客用ディスプレイ４の画面における登録情報表示領域４１内の商品名欄４１１に、登録メモリ５１の商品名エリアに格納されている商品名情報を表示させる（ステップＳＴ３２：表示手段３１）。商品名消去フラグＦ１が“１”にセットされていた場合には（ステップＳＴ３１にてＮＯ）、表示装置コントローラ２２は、ステップＳＴ３２の処理を実行しない。
【００３３】
次いで、表示装置コントローラ２２は、フラグメモリ５２の点数消去フラグＦ２をチェックする（ステップＳＴ３３）。ここで、点数消去フラグＦ２が“０”にリセットされていた場合（ステップＳＴ３３にてＹＥＳ）、表示装置コントローラ２２は、前記登録情報表示領域４１内の点数欄４１２に、登録メモリ５１の点数エリアに格納されている点数情報を表示させる（ステップＳＴ３４：表示手段３１）。点数消去フラグＦ２が“１”にセットされていた場合には（ステップＳＴ３３にてＮＯ）、表示装置コントローラ２２は、ステップＳＴ３４の処理を実行しない。
【００３４】
次いで、表示装置コントローラ２２は、フラグメモリ５２の価格消去フラグＦ３をチェックする（ステップＳＴ３５）。ここで、価格消去フラグＦ３が“０”にリセットされていた場合（ステップＳＴ３５にてＹＥＳ）、表示装置コントローラ２２は、前記登録情報表示領域４１内の価格欄４１３に、登録メモリ５１の価格エリアに格納されている価格情報を表示させる（ステップＳＴ３６：表示手段３１）。価格消去フラグＦ３が“１”にセットされていた場合には（ステップＳＴ３５にてＮＯ）、表示装置コントローラ２２は、ステップＳＴ３６の処理を実行しない。
【００３５】
最後に、表示装置コントローラ２２は、フラグメモリ５２の合計消去フラグＦ４をチェックする（ステップＳＴ３７）。ここで、合計消去フラグＦ４が“０”にリセットされていた場合（ステップＳＴ３７にてＹＥＳ）、表示装置コントローラ２２は、登録情報表示領域４１内の合計欄４１４に、登録メモリ５１の合計点数エリア及び合計金額エリアに格納されている合計情報、すなわち合計点数と合計金額とを表示させる（ステップＳＴ３８：表示手段３１）。合計消去フラグＦ４が“１”にセットされていた場合には（ステップＳＴ３７にてＮＯ）、表示装置コントローラ２２は、ステップＳＴ３８の処理を実行しない。
【００３６】
客面表示処理の実行を指令した後、ＣＰＵ１１は、客用ディスプレイ４の画面がタッチ入力されるか（ステップＳＴ１２）、商品登録終了が宣言されるか（ステップＳＴ１４）、次の商品登録が行われるのを待機する（ステップＳＴ１）。スキャナ６またはキーボード２を介して次の商品登録が行われた場合には（ステップＳＴ１にてＹＥＳ）、登録中フラグＦ０が既に“１”にセットされているので、ＣＰＵ１１は、ステップＳＴ７以降の処理を再度実行する。
【００３７】
次の商品登録が行われる前に、客用ディスプレイ４の画面がタッチ入力されたことを検知すると（ステップＳＴ１２にてＹＥＳ）、ＣＰＵ１１は、表示装置コントローラ２２に対して客面表示切替処理の実行を指令する（ステップＳＴ１３）。この指令を受けた表示装置コントローラ２２は、図１０の流れ図で示す手順で処理を実行する。先ず、表示装置コントローラ２２は、タッチパネル４ｂからの信号により、画面上のタッチ入力位置を検出する（ステップＳＴ４１）。
【００３８】
タッチ入力位置を検出できたならば、表示装置コントローラ２２は、そのタッチ入力位置が登録情報表示領域４１のいずれかの項目欄内か否かを確認する（ステップＳＴ４２）。タッチ入力位置が項目欄内の場合（ステップＳＴ４２にてＹＥＳ）、表示装置コントローラ２２は、タッチ入力された項目欄に対応した消去フラグＦｉ（ｉ＝１〜４）をチェックする。すなわち、タッチ入力位置が商品名欄４１１内の場合には商品名消去フラグＦ１を、点数欄４１２内の場合には点数消去フラグＦ２を、価格欄４１３内の場合には価格消去フラグＦ３を、合計欄４１４内の場合には合計消去フラグＦ４をチェックする（ステップＳＴ４３）。
【００３９】
チェックした消去フラグＦｉが“０”のとき（ステップＳＴ４３にてＹＥＳ）、表示装置コントローラ２２は、その消去フラグＦ１に対応した項目欄の全域にマスク画像を表示させて項目欄内の表示情報（商品名、販売点数，販売価格または合計情報）を非表示とする（ステップＳＴ４４：非表示手段３２）。また、表示装置コントローラ２２は、チェックした消去フラグＦｉを“１”にセットする（ステップＳＴ４５）。
【００４０】
チェックした消去フラグＦｉが“１”のときには（ステップＳＴ４３にてＮＯ）、表示装置コントローラ２２は、その消去フラグＦ１に対応した項目欄からマスク画像を消去して、項目欄内の表示情報（商品名、販売点数，販売価格または合計情報）を再表示させる（ステップＳＴ４６）。また、表示装置コントローラ２２は、該当する消去フラグＦｉを“０”にリセットする（ステップＳＴ４７）。  
以上で、項目欄がタッチ操作されたときの客面表示切替処理は終了する。
【００４１】
これに対し、タッチ入力位置が項目欄でなく（ステップＳＴ４２にてＮＯ）、ボタン画像４２１または４２２の領域である場合には（ステップＳＴ４８にてＹＥＳ）、表示装置コントローラ２２は、全消去フラグＦ５をチェックする（ステップＳＴ４９）。全消去フラグＦ５が“０”の場合（ステップＳＴ４９にてＹＥＳ）、表示装置コントローラ２２は、登録情報表示領域４１内の全項目欄４１１〜４１４にマスク画像を表示させて項目欄内の表示情報（商品名、販売点数，販売価格及び合計情報）を非表示とする（ステップＳＴ５０：非表示手段３２）。また、表示装置コントローラ２２は、「全消去」のボタン画像４２１を「全表示」のボタン画像４２２に変更する（ステップＳＴ５１）。さらに、表示装置コントローラ２２は、フラグメモリ５２内の全ての消去フラグＦ１〜Ｆ５をまとめて“１”にセットする。（ステップＳＴ５２）。
【００４２】
全消去フラグＦ５が“１”の場合には（ステップＳＴ４９にてＮＯ）、表示装置コントローラ２２は、登録情報表示領域４１内の全項目欄４１１〜４１４からマスク画像を消去して項目欄内の表示情報（商品名、販売点数，販売価格及び合計情報）を再表示させる（ステップＳＴ５３）。また、表示装置コントローラ２２は、ボタン画像を「全表示」ボタン画像４２２から「全消去」ボタン画像４２１に変更する（ステップＳＴ５４）。さらに、表示装置コントローラ２２は、フラグメモリ５２内の消去フラグＦ１〜Ｆ５を一括して“０”にリセットする。（ステップＳＴ５５）。  
以上で、ボタン画像４２１または４２２がタッチ操作されたときの客面表示切替処理は終了する。なお、タッチ入力位置が項目欄でなく（ステップＳＴ４２にてＮＯ）、ボタン画像４２１または４２２の領域でもない場合（ステップＳＴ４８にてＮＯ）には、表示装置コントローラ２２は、何も処理を実行しない。
【００４３】
客面表示処理の実行を指令した後、例えばキーボード２の小計キー入力により商品登録終了が宣言されると（ステップＳＴ１４にてＹＥＳ）、ＣＰＵ１１は、表示装置コントローラ２２に対して合計表示強制処理の実行を指令する（ステップＳＴ１５）。この指令を受けた表示装置コントローラ２２は、図１１の流れ図で示す手順で処理を実行する。先ず、表示装置コントローラ２２は、フラグメモリ５２の合計消去フラグＦ４をチェックする（ステップＳＴ６１）。合計消去フラグＦ４が“０”にリセットされている場合、客用ディスプレイ４の画面における登録情報表示領域４１内の合計欄４１４には、合計点数及び合計金額の合計情報が表示されている。この場合（ステップＳＴ６１にてＮＯ）、表示装置コントローラ２２は、何も処理をしない。
【００４４】
合計消去フラグＦ４が“１”にセットされていた場合には、合計欄４１４にマスク用画像が表示されていて、見かけ上、合計欄４１４の情報、すなわち合計点数と合計金額は非表示となっている。この場合（ステップＳＴ１５にてＹＥＳ）、表示装置コントローラ２２は、合計欄４１４からマスク画像を消去して、合計欄４１４に合計点数及び合計金額の合計情報を再表示させる（ステップＳＴ６２：強制手段３４）。また、表示装置コントローラ２２は、合計消去フラグＦ４を“０”にリセットする（ステップＳＴ６３）。
【００４５】
合計表示強制処理の実行を指令した後、ＣＰＵ１１は、預かり金額が入力されるのを待機する（ステップＳＴ１６）。キーボード２の置数キーと預／現計キーとの操作により買物客の代金支払いデータである預り金額が入力されると（ステップＳＴ１６にてＹＥＳ）、ＣＰＵ１１は、表示装置コントローラ２２に対してタッチ入力の無効化を指令する（ステップＳＴ１７）。この指令を受けた表示装置コントローラ２２は、タッチパネル４ｂからの信号監視を停止する（許容手段３３）。
【００４６】
タッチ入力の無効化を指令した後、ＣＰＵ１１は登録締め処理を実行する（ステップＳＴ１８）。この処理は、預かり金額から合計金額を減算して釣銭額を求め、この釣銭額をオペレータ用ディスプレイ３と客用ディスプレイ４とに表示させる処理を含む。また、トランザクションメモリに登録された商品販売データを基にレシートの印字データを編集し、プリンタ７を動作させてレシートを発行する処理を含む。  
登録締め処理を終了後、ＣＰＵ１１は、登録中フラグＦ０を“０”にリセットする。以上で、一客処理が終了する。
【００４７】
本実施形態のＰＯＳ端末１を小売店の会計装置に採用する場合、店側は、ＰＯＳ端末１を挟んで正面側にキャッシャが立ち、背面側に買物客が立つように、ＰＯＳ端末１を設置する。そしてキャッシャは、スキャナ６またはキーボード２を操作して、買物客が買い上げる商品の販売データを１品ずつＰＯＳ端末１に登録する。
【００４８】
商品販売データが登録される毎に、ＰＯＳ端末１では、オペレータ用ディスプレイ３と客用ディスプレイ４とに、その登録商品の商品名、販売点数，販売価格等が表示される。したがって、キャッシャと買物客は登録商品の正誤をダブルチェックできる。ただし、客用ディスプレイ４の表示内容は、買物客本人だけでなく、近くにいる他の買物客も除き見ることができる。このため、自身が購入する商品を他人に知られたくない買物客は、客用ディスプレイ４に表示されている画面４０の例えば商品名欄４１１にタッチする。そうすると、それ以後、商品名欄４１１に登録商品の商品名が表示されることはない。したがって、自身が購入する商品の商品名を他人に知られることはない。
【００４９】
同様に、販売価格を他人に知られたくない場合には、画面４０の価格欄４１３にタッチする。また、合計金額を他人に知られたくない場合には、画面４０の合計欄４１４にタッチする。そうすることで、買物客が買い上げる商品がＰＯＳ端末１に登録されても、この商品の販売価格や合計金額が客用ディスプレイ４に表示されないので、買物客のプライバシーを守ることができる。
【００５０】
なお、例えば商品名を一旦非表示としたが、この非表示の状態を解消したい場合には、買物客は商品名欄４１１に再度タッチする。そうすると、それ以後、商品名欄４１１に登録商品の商品名が表示される。
【００５１】
このように、本実施形態の客用表示装置３０を備えたＰＯＳ端末１によれば、客用ディスプレイ４に表示される登録商品の商品名，販売点数，販売価格、合計情報の項目毎に、買物客自身による簡単なタッチ操作によって、当該買物客が所望する項目の情報を非表示としたり、その項目の情報を再表示させたりすることができる。
【００５２】
また、本実施形態では、客用ディスプレイ４の画面に「全消去」のボタン画像４２１が表示されている。そして、買物客によってこのボタン画像４２１がタッチ操作されると、客用ディスプレイ４に表示される登録商品の商品名，販売点数，販売価格、合計情報の全項目の情報が一斉に非表示となる。したがって、全項目の情報を非表示とする買物客は、各項目４１１〜４１４にタッチすることなく、全項目の情報を非表示にできるので、操作性が良好である。
【００５３】
また、本実施形態では、ＰＯＳ端末１にて買物客が買い上げる商品の１点目のデータが入力されてから当該買物客が買い上げる商品の代金支払いデータが入力されるまでの間、表示装置コントローラ２２はタッチパネル４ｂからの信号を監視している。換言すれば、上記期間以外は、表示装置コントローラ２２はタッチパネル４ｂからの信号を無視する。したがって、例えば代金支払いを終えた客が誤って客用ディスプレイ４の商品名欄にタッチしてしまったために、次の客が意図しないにも拘らず客用ディスプレイ４から商品名が非表示となるような不都合を未然に防止することができる。
【００５４】
また、本実施形態では、ＰＯＳ端末１にて買物客が買い上げる商品のデータ入力終了が宣言されたとき、合計金額が非表示とされている場合には当該合計金額を強制的に表示させるようにしている。したがって、合計金額が表示されていないために買物客が合計金額を知り得ないという不具合を生じることはない。
【００５５】
なお、本発明は、前記実施形態に限定されるものではない。  
例えば前記実施形態では、非表示手段３２は、タッチ操作された領域の全域にマスク画像を表示させて、見かけ上、その領域に表示されている情報を非表示したが、タッチ操作された領域に表示されている情報を非表示とする手法はこれに限定されるものではない、タッチ操作された領域から情報を消去することで、情報を非表示としてもよい。
【００５６】
また、前記実施形態では、登録メモリ５１とフラグメモリ５２とをＲＡＭ１４に形成したが、これらメモリエリアの形成先はＲＡＭ１４に限定されない。例えば、表示装置コントローラ２２が備えるメモリに形成してもよい。
【００５７】
また、前記実施形態では、表示装置コントローラ２２が有する機能を、ＰＯＳ端末１のプログラム記憶部であるＲＯＭ１３に格納された制御プログラムに従い、表示装置コントローラ２２がＣＰＵ１１と協働して実現したが、ＣＰＵ１１が単独で実現してもよい。また、その情報処理手順は、図８〜図１１の流れ図によって示される手順に限定されるものではない。例えば図８において、ステップＳＴ３〜ＳＴ６の処理は順序が異なっていてもよい。また、ステップＳＴ１０の処理とＳＴ１１の処理とを入れ替えてもよい。
【００５８】
また、図９において、各フラグＦ１〜Ｆ４をチェックする順序はこれに限定されない。例えば、点数消去フラグＦ２を先にチェックし、続いて商品名消去フラグＦ１をチェックしてもよい。あるいは、合計消去フラグＦ４を一番最初にチェックしてもよい。
【００５９】
また、図１０において、タッチ入力位置が項目欄なのかボタン画像なのかを判定する順序もこれに限定されない。先に、ステップＳＴ４８〜ＳＴ５５の処理を実行し、続いて、ステップＳＴ４２〜ＳＴ４７の処理を実行してもよい。
【００６０】
この他、例えば図１１において、ステップＳＴ６２とステップＳＴ６３の順序を入れ替えてもよい。
【００６１】
なお、前記実施形態は、ＰＯＳ端末に搭載された客用表示装置を例示したが、本発明は、ＰＯＳ端末以外の機器、例えば電子式キャッシュレジスタや電子料金秤に搭載される客用表示装置に対しても同様に適用できるものである。
【００６２】
また、前記実施形態は、装置内部のプログラム記憶部であるＲＯＭに発明の機能を実現させる制御プログラムが予め記録されているものとした。しかしこれに限らず、同様のプログラムがネットワークから装置にダウンロードされてもよい。あるいは、記録媒体に記録された同様のプログラムが、装置にインストールされてもよい。記録媒体は、ＣＤ−ＲＯＭ，メモリカード等のようにプログラムを記憶でき、かつ装置が読み取り可能であれば、その形態は問わない。また、プログラムのインストールやダウンロードにより得る機能は、装置内部のＯＳ（オペレーティング・システム）等と協働してその機能を実現させるものであってもよい。また、本実施形態のプログラムを、通信機能を有する携帯電話やいわゆるＰＤＡのような携帯情報端末に組み込んで、その機能を実現させるものであってもよい。
【００６３】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６４】
１…ＰＯＳ端末、２…キーボード、３…オペレータ用ディスプレイ、４…客用ディスプレイ、４ａ…表示パネル、４ｂ…タッチパネル、２２…表示装置コントローラ、３１…表示手段、３２…非表示手段、３３…許容手段、３４…強制手段。
【図１】
2014071516.tif 000003
【図２】
2014071516.tif 000004
【図３】
2014071516.tif 000005
【図４】
2014071516.tif 000006
【図５】
2014071516.tif 000007
【図６】
2014071516.tif 000008
【図７】
2014071516.tif 000009
【図８】
2014071516.tif 000010
【図９】
2014071516.tif 000011
【図１０】
2014071516.tif 000012
【図１１】
2014071516.tif 000013